(57)【特許請求の範囲】
【請求項１】
ノンリニアアクセス可能な記録媒体を用いてビデオデータの記録及び／または再生を行う記録再生手段と、
外部からの入力ビデオ信号に所定の処理を施す処理手段と、前記処理手段で処理されたビデオデータを一時的に記憶する記憶手段とを有し、前記記憶手段から読み出したビデオデータを前記記録再生手段に転送する少なくとも１つの入力部と、
前記記録再生手段から転送されたビデオデータを外部に出力する少なくとも１つの出力部と
を有し、前記入力部及び前記出力部は、所定の基準ビデオ信号に同期して、それぞれ割り当てられたタイムスロット内に前記記録再生手段との間での前記転送を行う記録再生装置において、
前記入力部は、
前記入力ビデオ信号から分離された入力フレーム同期信号と、前記基準ビデオ信号に基づく基準フレーム同期信号とが供給される制御手段
を備え、
前記入力フレーム同期信号から生成されたクロック信号を動作クロックとして前記処理手段の動作及び前記記憶手段へのビデオデータの書き込みが行われ、
前記基準ビデオ信号に同期して前記記憶手段からのビデオデータの読み出しが行われ、
前記制御手段は、前記基準フレーム同期信号から生成した割り込み信号と、該割り込み信号に対して位相がずれた基準クロック信号を同時に生成し、該基準クロック信号をカウントするとともに、前記入力フレーム同期信号から生成したリセット信号で前記カウントをリセットして、前記リセットの後最初の前記割り込み信号が生成されるまで前記カウントを禁止し、前記カウント信号を前記割り込み信号でサンプリングする割り込み処理により、前記処理手段を前記入力ビデオ信号に同期して制御する
ことを特徴とする記録再生装置。
【請求項２】
請求項１に記載の記録再生装置において、
前記入力部に前記記憶手段が複数設けられており、
前記制御手段は、前記記憶手段のうち前記入力信号を書き込ませる記憶手段を、一定量の信号が書き込まれる毎に切り替え、前記タイムスロット内に、該一定量の信号を該記憶手段から読み出して前記記録再生手段に転送させる
ことを特徴とする記録再生装置。
【請求項３】
請求項１に記載の記録再生装置において、
前記制御手段は、前記記憶手段に書き込まれた信号の量に応じて、前記タイムスロット内に該記憶手段から読み出して前記記録再生手段に転送させる信号の量を変化させる
ことを特徴とする記録再生装置。
【請求項４】
請求項１に記載の記録再生装置において、
前記処理手段は、前記入力ビデオ信号からＶＩＴＣコードを読み取るＶＩＴＣリーダーを含んでおり、
前記制御手段は、前記割り込み処理により、前記入力ビデオ信号の各フレームの前半フィールドで前記ＶＩＴＣリーダーにＶＩＴＣコードを読み取らせる
ことを特徴とする記録再生装置。
【請求項５】
ノンリニアアクセス可能な記録媒体を用いてビデオデータの記録及び／または再生を行う記録再生手段と、
外部からの入力ビデオ信号に所定の処理を施す処理手段と、前記処理手段で処理されたビデオデータを一時的に記憶する記憶手段とを有し、前記記憶手段から読み出したビデオデータを前記記録再生手段に転送する少なくとも１つの入力部と、
前記記録再生手段から転送されたビデオデータを外部に出力する少なくとも１つの出力部と
を有し、前記入力部及び前記出力部は、所定の基準ビデオ信号に同期して、それぞれ割り当てられたタイムスロット内に前記記録再生手段との間での前記転送を行う記録再生装置における信号入力方法において、
前記入力フレーム同期信号から生成されたクロック信号を動作クロックとして前記入力部の前記処理手段の動作及び前記入力部の前記記憶手段へのビデオデータの書き込みを行うとともに、前記基準フレーム同期信号から生成した割り込み信号と、該割り込み信号に対して位相がずれた基準クロック信号を同時に生成し、該基準クロック信号をカウンタでカウントするとともに、前記入力フレーム同期信号から生成したリセット信号で前記カウンタをリセットして、前記リセットの後最初の前記割り込み信号が生成されるまで前記カウンタでのカウントを禁止し、前記カウンタの出力信号を前記割り込み信号でサンプリングする割り込み処理により、前記処理手段を前記入力ビデオ信号に同期して制御する第１ステップと、
前記基準ビデオ信号に同期して前記記憶手段からのビデオデータの読み出しを行う第２ステップと
を含むことを特徴とする記録再生装置における信号入力方法。
【発明の詳細な説明】
【０００１】
【発明の属する技術分野】
本発明は、例えばＡＶサーバのような、ノンリニアアクセス可能な記録媒体を用いて信号の記録・再生を行う記録再生手段を有するとともに複数の入力部及び出力部が所定の基準信号に同期してそれぞれに割り当てられたタイムスロット内に記録再生手段との間での信号の転送を行う記録再生装置に関する。また本発明は、こうした記録再生装置への信号の入力方法に関する。
【０００２】
【従来の技術】
近年、ＣＡＴＶ（ケーブルテレビ）等の普及による情報提供の多チャンネル化に伴い、従来のＶＴＲ（ビデオテープレコーダ）とは異なり、１台の映像・音声データ記録再生装置で複数の映像・音声データ（以下「ＡＶデータ」と呼ぶ）を同時に記録したり、再生したり、さらには記録しながら再生したり等の要求が高まりつつある。そして、この要求を満たすためにハードディスク等のランダムアクセス可能な記録媒体を用いて映像・音声を記録再生するビデオサーバ（またはＡＶ（Ａｕｄｉｏ    ａｎｄ／ｏｒ  Ｖｉｄｅｏ）サーバとも呼ばれる）と呼ばれる装置が普及しつつある。
【０００３】
一般的に、放送局内におけるＡＶサーバは、画質や音質に対する要求から、必要とされるデータの転送レートが高い上に長時間のデータを記録するために大容量である必要がある。そこで、ＡＶデータを蓄積するとともに並列処理が可能な複数のハードディスク（以下「ＨＤ」と呼ぶ）装置を含むデータ記録再生装置を用いることによりデータの転送レートの高速化と大容量化を図る試みや、さらにパリティデータを記録しておくことにより、万一いずれかのＨＤ装置が故障しても信頼性を確保できるようにする試みがなされている。
【０００４】
これにより、放送局が提供しようとしている番組の内容や放送形態により要求されているチャンネル数が異なる場合であっても、複数のＡＶデータからなる素材データを分散的に記録しておき多チャンネル送出を同時に行ったり、同一の素材データを再生時間をずらして多チャンネルで再生することにより、ＶＯＤ（ビデオオンデマンド）やＮＶＯＤ（ニアビデオオンデマンド）等のシステムを構築する等、多様な使用形態に対応することのできるマルチチャンネルＡＶサーバを実現することができる。
【０００５】
このようなＡＶサーバに用いられるデータ記録再生装置には、１９８８年Ｐａｔｔｅｒｓｏｎ等によって発表された論文（‘A Case for Redundant Arrays of Inexpensive Disks（RAID）’, ACM SIGMOND Conference, Chicago, III, Jun.1-3,1988. ）に提唱されている複数のＨＤからなるハードディスクドライブ（以下「ＨＤＤ」と呼ぶ）をさらに複数台用いて構成されたＲＡＩＤ（Redundant Arra  ys of Inexpensive Disks ）技術が用いられている。
【０００６】
上記論文の中でＲＡＩＤは、ＲＡＩＤ−１からＲＡＩＤ−５まで５つに分類されている。ＲＡＩＤ−１は２つのＨＤＤに同じ内容を書き込む方式である。ＲＡＩＤ−３は、入力データを一定の長さに分割して複数のＨＤＤに記録するとともに、各ＨＤＤの互いに対応するデータブロックの排他的論理和であるパリティデータを生成して他の１台のＨＤＤに書き込む方式である。さらにＲＡＩＤ−５は、データの分割単位（ブロック）を大きくして、１つの分割データをデータブロックとして１つのＨＤＤに記録するとともに、各ＨＤＤの互いに対応するデータブロックの排他的論理和をとった結果（パリティデータ）をパリティブロックとして他のＨＤＤに記録するとともにパリティブロックを他のＨＤＤに分散する方式である。
その他のＲＡＩＤについては上記論文を参照されたい。
【０００７】
このＡＶサーバで複数のＡＶデータの同時記録・再生を行うためには、複数のチャンネルで同時に映像・音声信号（以下「ＡＶ信号」と呼ぶ）の入出力を行う必要がある。そこで、ＡＶサーバには、互いに独立して動作する複数の入出力ポートが設けられており、１つの入力ポート，出力ポートがそれぞれ１チャンネル分の入力，出力を行うようになっている。
【０００８】
しかし、各入出力ポートが全く同時にデータ記録再生装置との間でＡＶデータの転送を行うと、ＡＶサーバ内部で各入出力ポートとデータ記録再生装置とを接続しているバスにそれらのＡＶデータが同時に流れることになるので、処理しきれなくなる。そこで、各入出力ポートに、バスの使用を許可するタイムスロット（＝時間間隔）を順番に割り当て、各入出力ポートが、基準ビデオ信号に同期して、それぞれ割り当てられたタイムスロット内でのみバスを介してデータ記録再生装置との間でのＡＶデータの転送を行うようになっている。したがって、厳密にいえば複数のＡＶデータが同時に記録・再生されているわけではないが、タイムスロットよりも長い時間間隔でみると、複数のＡＶデータの同時記録・再生が実現されているといってよい。
【０００９】
ところで、例えばＶＴＲでは、記録と再生とが同時に行われることがないので、記録時には装置全体を入力ＡＶ信号に同期して動作させ、再生時には装置全体を基準ビデオ信号に同期させて動作させることにより、基準ビデオ信号とは非同期のＡＶ信号を、ＶＴＲに直接入力させて記録することが可能である。
しかし、ＡＶサーバでは、複数の入出力ポートが同時に動作して記録・再生が行われるので、基準ビデオ信号とは非同期のＡＶ信号を記録する場合にも、サーバ全体をこのＡＶ信号に同期させて動作させることは許されない。
【００１０】
そこで、従来のＡＶサーバでは、サーバ全体を基準ビデオ信号に同期させて動作させるようにしていた。
図８は、こうした従来のＡＶサーバの入力ポートの構成及びその動作クロックの一例を示す。
ＡＶサーバの入力ポートに入力されたＡＶ信号から、同期検出回路５１により同期信号が分離され、この同期信号からクロック信号ＩＮＣＫが作成される。
そして、このクロック信号ＩＮＣＫを書き込みクロックとして、このＡＶ信号がタイムベースコレクタ５２内のメモリ（数ライン分の容量のもの）に書き込まれる。
【００１１】
このタイムベースコレクタ５２からパッキング回路５６までの各回路には、基準ビデオ信号ＲＥＦに基づいてタイミング発生器６０で生成されるクロック信号ＲＥＦＣＫが与えられており、これらの回路はこのクロック信号ＲＥＦＣＫを動作クロック（すなわち基準ビデオ信号ＲＥＦに同期して）動作するようになっている。
【００１２】
タイムベースコレクタ５２内のメモリからは、このクロック信号ＲＥＦＣＫを読み出しクロックとしてＡＶ信号が読み出され、これによって入力ＡＶ信号の基準ビデオ信号ＲＥＦへの載せ替えと入力ＡＶ信号の数ライン分の位相ずれの吸収とが行われる。
【００１３】
タイムベースコレクタ５２から読み出されたＡＶ信号は、ＶＩＴＣリーダー５３でＶＩＴＣコードを読み取られ、前置フィルター５４で高域成分を除去された後、符号器５５により所定の符号化方式（例えばＭＰＥＧ）で圧縮される。
この圧縮によって得られたＡＶデータは、パッキング回路５６及びこの回路５６との間でＡＶデータを授受するＦＩＦＯ（先読み先出し）メモリ５７により、ＡＶサーバに設けられた複数のＲＡＩＤのそれぞれに記録すべきＡＶデータに割り振られた後、メモリコントローラ５８により、バッファメモリ５９に一時的に書き込まれる。
【００１４】
メモリコントローラ５８には、基準ビデオ信号ＲＥＦに基づいてタイミングジェネレータ６０で生成されるタイムスロット信号ＴＳが与えられている。メモリコントローラ５８は、このタイムスロット信号ＴＳによりこの入力ポートに割り当てられたタイムスロット内に、１タイムスロット周期内にバッファメモリ５９に書き込まれたＡＶデータ（例えば１タイムスロットが４フレーム分の時間間隔であり入出力ポート数が４の場合には、１６フレーム分のＡＶデータ）をバッファメモリ６８から読み出して、ＲＡＩＤの数分のバス（図示略）を介して各ＲＡＩＤ（図示略）に転送される。
【００１５】
入力ポート全体を制御するＣＰＵ６１には、基準ビデオ信号ＲＥＦに基づいてタイミングジェネレータ６０で生成されるフレーム同期信号ＲＥＦＦＲＡＭＥが与えられる。ＣＰＵ６１は、このフレーム同期信号ＲＥＦＦＲＡＭＥから生成した割り込み信号で、基準ビデオ信号ＲＥＦに同期した制御を行う。
【００１６】
ところで、放送局内においてＡＶサーバで記録しなければならないＡＶ信号には、基準ビデオ信号と同期したＡＶ信号だけでなく、例えばＳＮＧ（Satellite News Gathering＝衛星通信ニュース取材方式）を利用して伝送されるＡＶ信号や、イーサネットを利用して伝送されるＡＶ信号や、カメラから出力されるＡＶ信号のような、基準ビデオ信号とは非同期のＡＶ信号も存在している。
【００１７】
このような非同期のＡＶ信号を、図８に示したような構成の入力ポートに直接入力させると、タイムベースコレクタ５２で基準ビデオ信号ＲＥＦへの載せ替え及び数ライン分の位相ずれの吸収は行われるものの、基準ビデオ信号との周波数偏差の大きいＡＶ信号の同期結合を行うことはできない。
【００１８】
そのため、従来のＡＶサーバで基準ビデオ信号とは非同期のＡＶ信号を記録する場合には、次のような方法を採らざるを得なかった。
（１）この非同期のＡＶ信号を、一旦ＶＴＲに記録した後、ＶＴＲから再生してＡＶサーバの入力ポートに入力させる。
（２）この非同期のＡＶ信号を、フレームシンクロナイザで基準ビデオ信号に同期させてから入力ポートに入力させる。
【００１９】
【発明が解決しようとする課題】
しかし、これらの方法は、いずれも、ＶＴＲやフレームシンクロナイザといったＡＶサーバ以外の機器を使用しなければならないものであり、ＡＶサーバ単独では記録を行うことができない。したがって、中継現場のカメラから出力されるＡＶ信号をその場でＡＶサーバに記録するような場合には、多数の機器を中継現場に持ち運ばなければならなくなるので不便であった。
【００２０】
また、（１）の方法では、ＶＴＲでのＡＶ信号の記録・再生に時間を要するので、ＳＮＧやイーサネットを利用して伝送されるＡＶ信号や中継現場のカメラの出力ＡＶ信号をリアルタイムにＡＶサーバに記録することができない。
【００２１】
また、（２）の方法では、通常のフレームシンクロナイザでは、同期のとれる変動の範囲が内部のメモリーの容量によって制約され、この制約を超える大きさの変動がある場合には、フレーム単位でのコマ落ちが発生してしまう。
【００２２】
特に近年は、ニュース編集等において、ＳＮＧやイーサネットを利用して伝送されるＡＶ信号や中継現場のカメラの出力ＡＶ信号をＡＶサーバに直接入力させて記録することにより、こうしたＡＶ信号の収録中に同時に編集作業を行いたいという要求が強くなっているが、従来のＡＶサーバでは、こうした要求を満たすことはできなかった。
【００２３】
本発明は、上述の点に鑑み、ＡＶサーバをはじめとする、ノンリニアアクセス可能な記録媒体を用いて信号の記録・再生を行う記録再生手段を有するとともに複数の入力部及び出力部が所定の基準信号に同期してそれぞれに割り当てられたタイムスロット内に記録再生手段との間での信号の転送を行う記録再生装置において、その基準信号とは非同期の入力信号を、その装置の入力部に直接入力させて記録できるようにすることを課題としてなされたものである。
【００２４】
【課題を解決するための手段】
この課題を解決するために、本出願人は、ノンリニアアクセス可能な記録媒体を用いてビデオデータの記録及び／または再生を行う記録再生手段と、外部からの入力ビデオ信号に所定の処理を施す処理手段と、この処理手段で処理されたビデオデータを一時的に記憶する記憶手段とを有し、この記憶手段から読み出したビデオデータを記録再生手段に転送する少なくとも１つの入力部と、記録再生手段から転送されたビデオデータを外部に出力する少なくとも１つの出力部とを有し、入力部及び前記出力部は、所定の基準ビデオ信号に同期して、それぞれ割り当てられたタイムスロット内に前記記録再生手段との間での転送を行う記録再生装置において、入力部が、入力ビデオ信号から分離された入力フレーム同期信号と、基準ビデオ信号に基づく基準フレーム同期信号とが供給される制御手段を備え、入力フレーム同期信号から生成されたクロック信号を動作クロックとして処理手段の動作及び記憶手段へのビデオデータの書き込みが行われ、基準ビデオ信号に同期して記憶手段からのビデオデータの読み出しが行われ、この制御手段は、基準フレーム同期信号から生成した割り込み信号と、この割り込み信号に対して位相がずれた基準クロック信号を同時に生成し、この基準クロック信号をカウントするとともに、入力フレーム同期信号から生成したリセット信号でカウントをリセットして、リセットの後最初の割り込み信号が生成されるまでカウントを禁止し、このカウント信号を割り込み信号でサンプリングする割り込み処理により、処理手段を入力ビデオ信号に同期して制御するものを提案する。
【００２５】
この記録再生装置では、入力部のうち記憶手段よりも前段の処理手段（図８の入力ポートではタイムベースコレクタ５２からパッキング回路５６までの回路に相当）での動作及び記憶手段（図８の入力ポートではバッファメモリ５８に相当）への書き込みは、入力ビデオ信号に同期して行われ、他方、記憶手段から記録再生手段へのビデオデータの転送は、基準ビデオ信号に同期して行われる。換言すれば、入力部内において記録再生手段に転送するビデオデータを一時的に記憶するための記憶手段を、フレームシンクロナイザとして利用している。これにより、基準ビデオ信号とは非同期なビデオ信号を、直接入力部に入力させて記録再生手段に記録することができる。
【００２６】
したがって、例えばこの記録再生装置をＡＶサーバに適用すれば、ＳＮＧやイーサネット（登録商標）を利用して伝送されるＡＶ信号や中継現場のカメラの出力ＡＶ信号等を、ＡＶサーバに直接入力させて記録することができるので、こうしたＡＶ信号の収録中に同時に編集作業を行うことができるようになる。
【００２７】
また、入力部では、制御手段が、基準ビデオ信号に基づく基準フレーム同期信号から生成した割り込み信号と、この割り込み信号に対して位相がずれた基準クロック信号を同時に生成し、この基準クロック信号をカウントするとともに、入力ビデオ信号から分離された入力フレーム同期信号から生成したリセット信号でこのカウントをリセットして、このリセットの後最初の割り込み信号が生成されるまでこのカウントを禁止し、このカウント信号を割り込み信号でサンプリングする割り込み処理により、記憶手段よりも前段の処理手段に対して、入力ビデオ信号に同期した制御を行う。これにより、基準ビデオ信号とは非同期な入力ビデオ信号のレートにかかわらず、記憶手段よりも前段の処理手段に対して、入力ビデオ信号に同期した制御を正常に行うことができる。
【００２８】
なお、この記録再生装置において、記憶手段よりも前段の処理手段が、入力ビデオ信号からＶＩＴＣコードを読み取るＶＩＴＣリーダーを含んでいる場合には、制御手段が、割り込み処理により、入力ビデオ信号の各フレームの前半フィールドでＶＩＴＣリーダーにＶＩＴＣコードを読み取らせるようにすれば、記録再生装置の上位装置からのＶＩＴＣコードの送付要求に対応することができるようになる。
【００２９】
また、この記録再生装置において、入力部に記憶手段を複数設け、制御手段が、これらの記憶手段のうち入力信号を書き込ませる記憶手段を、一定量の信号が書き込まれる毎に切り替え、タイムスロット内に、この一定量の信号を記憶手段から読み出して記録再生手段に転送させることが好適である。
【００３０】
それにより、基準信号とは非同期な入力信号のレートにかかわらず一定量の信号がタイムスロット内に記憶手段から読み出されて記録再生手段に転送されるので、記録再生手段で連続して信号を記録できるようになる。
【００３１】
あるいは、制御手段が、記憶手段に書き込まれた信号の量に応じて、タイムスロット内に記憶手段から読み出して記録再生手段に転送させる信号の量を変化させるようにすることも好適である。
【００３２】
それにより、入力信号が基準信号よりも低レートである場合には、それに応じた少ない量の信号をタイムスロット内に記憶手段から読み出して記録再生手段に転送させ、他方、入力信号が基準信号よりも高レートである場合には、それに応じた多い量の信号をタイムスロット内に記憶手段から読み出して記録再生手段に転送させることができるので、やはり、基準信号とは非同期な入力信号のレートにかかわらず記録再生手段で連続して信号を記録できるようになる。
【００３５】
次に、本出願人は、ノンリニアアクセス可能な記録媒体を用いてビデオデータの記録及び／または再生を行う記録再生手段と、外部からの入力ビデオ信号に所定の処理を施す処理手段と、この処理手段で処理されたビデオデータを一時的に記憶する記憶手段とを有し、この記憶手段から読み出したビデオデータを記録再生手段に転送する少なくとも１つの入力部と、記録再生手段から転送されたビデオデータを外部に出力する少なくとも１つの出力部とを有し、入力部及び前記出力部は、所定の基準ビデオ信号に同期して、それぞれ割り当てられたタイムスロット内に前記記録再生手段との間での転送を行う記録再生装置における信号入力方法において、入力フレーム同期信号から生成されたクロック信号を動作クロックとして入力部の処理手段の動作及び入力部の記憶手段へのビデオデータの書き込みを行うとともに、基準フレーム同期信号から生成した割り込み信号と、この割り込み信号に対して位相がずれた基準クロック信号を同時に生成し、この基準クロック信号をカウントするとともに、入力フレーム同期信号から生成したリセット信号でカウントをリセットして、リセットの後最初の割り込み信号が生成されるまでカウントを禁止し、このカウント信号を割り込み信号でサンプリングする割り込み処理により、処理手段を入力ビデオ信号に同期して制御する第１ステップと、基準ビデオ信号に同期して記憶手段からのビデオデータの読み出しを行う第２ステップとを含んだものを提案する。
【００３６】
この信号入力方法では、入力部のうち記憶手段よりも前段の処理手段（図８の入力ポートではタイムベースコレクタ５２からパッキング回路５６までの回路に相当）での動作及び記憶手段（図８の入力ポートではバッファメモリ５８に相当）への書き込みは、入力ビデオ信号に同期して行わせ、他方、記憶手段から記録再生手段へのビデオデータの転送は、基準ビデオ信号に同期して行わせる。換言すれば、入力部内において記録再生手段に転送するビデオデータを一時的に記憶するための記憶手段を、フレームシンクロナイザとして利用している。これにより、基準ビデオ信号とは非同期なビデオ信号を、直接入力部に入力させて記録再生手段に記録することができる。
【００３７】
したがって、例えばこの信号入力方法をＡＶサーバに適用すれば、ＳＮＧやイーサネット（登録商標）を利用して伝送されるＡＶ信号や中継現場のカメラの出力ＡＶ信号等を、ＡＶサーバに直接入力させて記録することができるので、こうしたＡＶ信号の収録中に同時に編集作業を行うことができるようになる。
【００３８】
また、入力部では、基準ビデオ信号に基づく基準フレーム同期信号から生成した割り込み信号と、この割り込み信号に対して位相がずれた基準クロック信号を同時に生成し、この基準クロック信号をカウントするとともに、入力ビデオ信号から分離された入力フレーム同期信号から生成したリセット信号でこのカウントをリセットして、このリセットの後最初の割り込み信号が生成されるまでこのカウントを禁止し、このカウント信号を割り込み信号でサンプリングする割り込み処理により、記憶手段よりも前段の処理手段に対して、入力ビデオ信号に同期した制御を行う。これにより、基準ビデオ信号とは非同期な入力ビデオ信号のレートにかかわらず、記憶手段よりも前段の処理手段に対して、入力ビデオ信号に同期した制御を正常に行うことができる。
【００４６】
【発明の実施の形態】
以下では、本発明をＡＶサーバに適用した例について説明する。
図１は、本発明を適用した１入力ポート３出力ポートのＡＶサーバの全体構成を示す。
このＡＶサーバ１には、１つの入力ポート２と、３つの出力ポート３，４，５と、複数のＲＡＩＤを設けた記録再生部６と、タイミング管理部７と、ファイルシステム８と、制御器９とが設けられている。
入力ポート２及び出力ポート３，４，５は、それぞれ下りバス１０及び上りバス１１を介して記録再生部６と接続されている。また、入力ポート２及び出力ポート３，４，５は、それぞれ制御バス１２を介して制御器９と接続されている。
【００４７】
入力ポート２及び出力ポート３，４，５には、タイミング管理部７からタイムスロット信号ＴＳが送られる。
このタイムスロット信号ＴＳは、下りバス１０及び上りバス１１の使用を許可するタイムスロット（例えば４フレーム分の時間間隔）を、入力ポート２，出力ポート３，４，５の１つずつに順番に繰り返し割り当てる信号である。
【００４８】
各入力ポート２及び出力ポート３，４，５が、それぞれこのタイムスロット信号によって割り当てられたタイムスロット内でのみ下りバス１０及び上りバス１１を介して記録再生部６との間でのＡＶデータの転送を行うことにより、タイムスロットよりも長い時間間隔でみると、複数のＡＶデータの同時記録・再生が実現される。
【００４９】
タイミング管理部７は、ＡＶサーバ１の外部から入力端子Ｒを通して供給される基準ビデオ信号ＲＥＦに基づいてこのタイムスロット信号ＴＳを生成する。
また、タイミング管理部７は、基準ビデオ信号ＲＥＦに基づいてフレーム同期信号ＲＥＦＦＲＡＭＥ及びクロック信号ＲＥＦＣＫを生成しており、これらの信号も入力ポート２及び出力ポート３，４，５に送られる。
【００５０】
外部からこのＡＶサーバ１に供給されるＡＶ信号は、入力端子Ｄ１を通して入力ポート２に入力される。
図２は、この入力ポート２の構成の一例を示す。
入力ポート２に入力されたＡＶ信号から、同期検出回路３１により同期信号が分離され、この同期信号からクロック信号ＩＮＣＫが作成される。
【００５１】
このクロック信号ＩＮＣＫは、ＶＩＴＣリーダー３２からメモリコントローラ３７Ａ，３７Ｂ，３７Ｃまでの各回路に与えられており、ＶＩＴＣリーダー３２からパッキング回路３５までの回路の動作及びメモリコントローラ３７Ａ，３７Ｂ，３７Ｃによるバッファメモリ３８Ａ，３８Ｂ，３８Ｃへの書き込みは、このクロック信号ＩＮＣＫを動作クロックとして（すなわち入力ＡＶ信号に同期して）行われるようになっている。
【００５２】
同期検出回路３１から出力されたＡＶ信号は、ＶＩＴＣリーダー３２でＶＩＴＣコードを読み取られ、前置フィルター３３で高域成分を除去された後、符号器３４により所定の符号化方式（例えばＭＰＥＧ）で圧縮される。
この圧縮によって得られたＡＶデータは、パッキング回路３５及びこの回路３５との間でＡＶデータを授受するＦＩＦＯ（先読み先出し）メモリ３６により、記録再生部６に設けられた複数のＲＡＩＤのそれぞれに記録すべきＡＶデータに割り振られる。
【００５３】
入力ポート２には、記録再生部６に転送するＡＶデータ一時的に記憶するためのバッファメモリとして、３バンクのバッファメモリ３８Ａ，３８Ｂ，３８Ｃが設けられており、パッキング回路３５から割り振られて出力されたＡＶデータは、
メモリコントローラ３７Ａ，３７Ｂ，３７Ｃにより、バッファメモリ３８Ａ，３８Ｂ，３８Ｃに一時的に書き込まれる。
【００５４】
メモリコントローラ３７Ａ，３７Ｂ，３７Ｃには、図１のタイミング管理部７から入力ポート２に送られるタイムスロット信号ＴＳも与えられている。
メモリコントローラ３７Ａ，３７Ｂ，３７Ｃは、このタイムスロット信号ＴＳにより入力ポート２に割り当てられたタイムスロット内に、バッファメモリ３８Ａ，３８Ｂ，３８ＣからＡＶデータを読み出して、図１の下りバス１０（このバス１０も、ＲＡＩＤの数分のバスから成っている）を介して記録再生部６の各ＲＡＩＤに転送する。
なお、このバッファメモリ３８Ａ，３８Ｂ，３８ＣにおけるＡＶデータの書き込み動作及び読み出し動作については、後に詳述する。
【００５５】
制御器３９は、入力ポート２全体を制御するものであり、例えばマイクロプロセッサから成っている。
制御器３９には、同期検出回路３１で入力ＡＶ信号から分離されたフレーム同期信号ＩＮＦＲＡＭＥと、図１のタイミング管理部７から入力ポート２に送られるフレーム同期信号ＲＥＦＦＲＡＭＥとの両方が与えられる。ＣＰＵ３９は、このフレーム同期信号ＲＥＦＦＲＡＭＥから生成した割り込み信号で制御を行う。
この制御器３９による入力ポート２の制御についても、後に詳述する。
【００５６】
なお、制御器３９には、ＡＶサーバ１の上位装置（例えばパーソナルコンピュータ）から、入力ポート２の動作を指示する制御信号（例えばシリアルインターフェースの標準規格であるＲＳ−４２２に従った制御信号）が図１の制御端子Ｃ１を通して与えられる。
【００５７】
また、入力ポート２の動作時には、図１の制御器９により、記録再生部６内の空き領域を示す情報がファイルシステム８から取得される。そして、その空き領域を伝える信号が、制御器９から制御バス１２を介して制御器３９に送られる。
【００５８】
制御器９は、ＡＶサーバ１の全体を制御するものであり、例えばマイクロプロセッサから成っている。
ファイルシステム８は、記録再生部６に現在記録されているＡＶデータのファイル名と、記録再生部６内でそのファイル名のＡＶデータが記録されている領域のアドレスとを対応させて管理すると共に、記録再生部６の現在の空き領域のアドレスを管理するものであり、それらの管理情報（ファイルシステム情報）を作成する制御回路（例えばＣＰＵ）と、この制御回路で作成されたファイルシステム情報を記憶する記憶回路（例えばＲＡＭ）とを含んでいる。
【００５９】
ファイルシステム８では、ファイルシステム情報として、ファイルエントリ，レコードエントリ及びフリースペースリストを作成する。
このうち、ファイルエントリは、各ファイルについて１つ作成されるものであり、ファイル名と、そのファイルについての最初のレコードエントリの先頭位置のアドレスへのポインタ情報（すなわち最初のレコードエントリへのリンク情報）とが書き込まれる。
【００６０】
レコードエントリは、記録再生部６内のＨＤ上で１つのファイルが記録されている連続領域毎に作成される。１つのファイルは、ＨＤ上の空き領域の長さ及び場所の都合でＨＤ上の互いに離れた複数の連続領域に飛び飛びに記録されることが多いので、通常はレコードエントリも複数作成される。
【００６１】
最初の連続記録についてのレコードエントリには、その連続領域の先頭位置のアドレス（すなわちＨＤ上のそのファイルの最初の記録位置のアドレス）を示す先頭位置データと、先頭位置からそのファイルどれだけの長さ連続して記録されているかを示すデータと、次のレコードエントリの先頭位置のアドレスへのポインタ情報（すなわち次のレコードエントリへのリンク情報）とが書き込まれる。
【００６２】
２番目以降の連続記録についてのレコードエントリにも、その連続領域の先頭位置のアドレスを示す先頭位置データと、先頭位置からそのファイルがどれだけの長さ連続して記録されているかを示すデータと、次のレコードエントリの先頭位置のアドレスへのポインタ情報とが書き込まれる。そして、最後のレコードエントリには、このポインタ情報に代えて、その連続領域でファイルの記録が終了していることを示すデータが書き込まれる。
【００６３】
フリースペースリストは、記録再生部６内のＨＤ上のデータが未記録の空き領域を示すためのものであり、個々の空き領域毎に作成される。各フリースペースリストには、空き領域の先頭位置のアドレスを示す先頭位置データと、先頭位置からどれだけの長さのデータを書き込める空き領域が連続して存在しているかを示すデータと、次のフリースペースリストの先頭位置のアドレスへのポインタ情報（すなわち次のフリースペースリストへのリンク情報）とが書き込まれる。
【００６４】
入力ポート２の制御器３９は、メモリコントローラ  によりバッファメモリ  から読み出されるＡＶデータに、制御器９から伝えられた空き領域への書込みを指示するコマンドを付加する。
これにより、この書込み指示のコマンドを付加したＡＶデータが、入力ポート２に割り当てられたタイムスロット内に、下りバス１０を介して記録再生部６に転送される。
【００６５】
図３は、記録再生部６の構成例（記録再生部６に設けられた複数のＲＡＩＤのそれぞれの構成例）を示す。
ＲＡＩＤは、映像データ記録用の複数台のＨＤＤ２１と、音声データ記録用の複数台のＨＤＤ２２と、これらのＨＤＤ２１及び２２を制御するディスクアレイコントローラ２３とを含んでいる。
下りバス１０を介して入力ポート２から転送されたＡＶデータは、ディスクアレイコントローラ２３に入力される。
【００６６】
この記録再生部６では、映像データに関しては例えばＲＡＩＤ−３が採用されており、ディスクアレイコントローラ２３は、ＡＶデータに付加された書込み指示のコマンドに基づき、入力したＡＶデータのうちの映像データを、一定の長さのブロックに分割して１台を除く全てのＨＤＤ２１内のそのコマンドの示す空き領域に記録し、かつ、それらのＨＤＤ２１の互いに対応するデータブロックの排他的論理和であるパリティデータを生成して残りの１台のＨＤＤ２１内のそのコマンドの示す空き領域に書き込む。
【００６７】
他方、この記録再生部６では、音声データに関しては例えばＲＡＩＤ−１が採用されてＨＤＤ２２が２台設けられており、ディスクアレイコントローラ２３は、ＡＶデータに付加された書込み指示のコマンドに基づき、入力したＡＶデータのうちの音声データを、２台のＨＤＤ２２内のそのコマンドの示す空き領域にそれぞれ書き込む。
【００６８】
そして、再生時には、ディスクアレイコントローラ２３は、出力ポート３，４，５後述の読出し指示のコマンドに基づき、各ＨＤＤ２１内のそのコマンドの示す領域から映像データ及びパリティデータを読み出し、それらの映像データを単一化された後パリティデータを用いてエラー訂正することにより映像データを再生する。また、２台のＨＤＤ２２（１台のＨＤＤ２２に障害がある場合には残りの１台のＨＤＤ２２）内のそのコマンドの示す領域から音声データを再生する。そして、再生した映像データと音声データとを多重化し、その多重化したＡＶデータにステータスデータを付加して、出力ポート３，４，５のうち読出し指示のコマンドを発した出力ポートに上りバス１１を介して転送する。
【００６９】
入力ポート２から下りバス１１を介して記録再生部６に転送されたＡＶデータは、このバッファメモリ２５を経て、ディスクアレイコントローラ２２，２４により、ＨＤＤ２１，２３内の、そのＡＶデータに付加された書込み指示のコマンドの示す空き領域に記録される。
【００７０】
図１に示すように、出力ポート３には、復号器３Ａと、バッファメモリ３Ｂと、制御器３Ｃとが設けられている。出力ポート４，５も、出力ポート３と同一構成のものであり、それぞれ復号器４Ａ，５Ａと、バッファメモリ４Ｂ，５Ｂと、制御器４Ｃ，５Ｃとが設けられている。
【００７１】
各出力ポート３，４，５の制御器３Ｃ，４Ｃ，５Ｃにも、ＡＶサーバ１の外部の上位装置から、出力ポート３，４，５の動作を指示する制御信号がそれぞれ制御端子Ｃ２，Ｃ３，Ｃ４を通して与えられる。
【００７２】
また、各出力ポート３，４，５の動作時には、出力ポート３，４，５から出力させるＡＶデータのファイル名を指定する制御信号が、ＡＶサーバ１の上位装置から制御端子Ｃ５を通して制御器９に与えられる。この制御信号は、各出力ポート３，４，５毎に異なるファイル名を指定する内容のときもあれば、全ての出力ポート３，４，５について同じファイル名を時間をずらして指定する内容のときもある。
【００７３】
制御器９では、この制御信号で指定されたファイル名に対応した記録再生部６内の記録領域の情報が、ファイルシステム８から取得される。そして、その記録領域を伝える信号が、制御器９から制御バス１２を介して制御器３Ｃ，４Ｃ，５Ｃに送られる。
【００７４】
制御器３Ｃ，４Ｃ，５Ｃは、それぞれ出力ポート３，４，５全体を制御するものであり、例えばマイクロプロセッサから成っている。
制御器３Ｃ，４Ｃ，５Ｃは、タイミング管理部７からのタイムスロット信号ＴＳによって出力ポート３，４，５に割り当てられたタイムスロット内に、制御器９から伝えられた記録領域からのＡＶデータの読出し及び出力ポート３，４，５への転送を指示するコマンドを、それぞれ下りバス１１を介して記録再生部６に送る。
【００７５】
そして、制御器３Ｃ，４Ｃ，５Ｃは、そのコマンドに基づいて記録再生部６で再生されて上りバス１２を介して出力ポート３，４，５に転送されたＡＶデータ（各ＲＡＩＤのディスクアレイコントローラ２３によりＨＤＤ２１，２２から再生されたＡＶデータ）を、それぞれバッファメモリ３Ｂ，４Ｂ，５Ｂに一時的に記憶させる。
【００７６】
また、制御器３Ｃ，４Ｃ，５Ｃは、それぞれバッファメモリ３Ｂ，４Ｂ，５Ｂに記憶させたＡＶデータを順次読み出していき、この読み出されたＡＶデータはそれぞれ復号器３Ａ，４Ａ，５Ａに送られる。
【００７７】
復号器３Ａ，４Ａ，５Ａは、それぞれ入力ポート２の符号器３４と同じ符号化方式でＡＶデータを伸長することにより、もとのＡＶ信号を復号するものである。  復号器３Ａ，４Ａ，５Ａで復号されたＡＶ信号は、それぞれ出力端子Ｄ２，Ｄ３，Ｄ４を通してＡＶサーバ１の外部に出力され、例えばネットワークを利用して他の機器に送られる。
【００７８】
次に、入力ポート２のバッファメモリ３８Ａ，３８Ｂ，３８ＣにおけるＡＶデータの書き込み動作及び読み出し動作について説明する。
タイムスロットが４フレームであり入出力ポート数が４であることから、入力ポート２に入力されたＡＶ信号が基準ビデオ信号ＲＥＦに同期している場合には、入力ポート２に割り当てられたタイムスロット内に、４×４＝１６フレーム分のＡＶデータを記録再生部６に転送すれば、記録再生部６でＡＶデータを連続して記録することができる。
【００７９】
しかし、例えばＳＮＧやイーサネットを利用して伝送されるＡＶ信号や中継現場のカメラの出力ＡＶ信号等の、基準ビデオ信号ＲＥＦとは非同期のＡＶ信号を入力端子Ｄ１を通して入力ポート２に入力する場合には、そのＡＶ信号が基準ビデオ信号ＲＥＦよりも低レートであるときは、１タイムスロット周期内にバッファメモリ３８Ａ，３８Ｂ，３８Ｃに書き込まれるＡＶデータ量が少なくなり、他方そのＡＶ信号が基準ビデオ信号ＲＥＦよりも高レートであるときは、１タイムスロット周期内にバッファメモリ３８Ａ，３８Ｂ，３８Ｃに書き込まれるＡＶデータ量が多くなる。
【００８０】
そこで、制御器３９は、バッファメモリ３８Ａ，３８Ｂ，３８Ｃに書き込まれているＡＶデータ量を監視し、図４に示すように、３バンクのバッファメモリ３８Ａ，３８Ｂ，３８ＣのうちＡＶデータを書き込ませるバッファメモリを、ＡＶデータが一定量（例えば１６フレーム分またはそれ以上）書き込まれる毎に切り替える。そして、入力ポート２に割り当てられる各タイムスロットＳＬ１毎に、バッファメモリ３８Ａ，３８Ｂ，３８ＣのうちＡＶデータを読み出すバッファメモリを切り替えつつ、この一定量のＡＶデータを読み出させる。
【００８１】
このように３バンクのバッファメモリ３８Ａ，３８Ｂ，３８Ｃをリングバッファとして使用して各タイムスロットＳＬ１内に一定量のＡＶデータを読み出すことにより、基準ビデオ信号ＲＥＦとは非同期の入力ＡＶ信号のレートにかかわらず各タイムスロットＳＬ１内に一定量のＡＶデータが記録再生部６に転送されるので、記録再生部６でＡＶデータを連続して記録することができるようになっている。
【００８２】
なお、別の例として、入力ポート２に３バンクのバッファメモリ３８Ａ，３８Ｂ，３８Ｃを設ける代わりに、入力ポート２に１つのバッファメモリのみを設け、制御器３９に、このバッファメモリに書き込まれているＡＶデータ量を監視させ、そのＡＶデータ量に応じて、各タイムスロットＳＬ１内にそのバッファメモリから読み出すＡＶデータ量を変化させるようにしてもよい。
【００８３】
それにより、入力ＡＶ信号が基準ビデオ信号ＲＥＦよりも低レートである場合には、それに応じた少ない量のＡＶデータをタイムスロットＳＬ１内にそのバッファメモリから読み出して記録再生部６に転送し、他方、入力ＡＶ信号が基準ビデオ信号ＲＥＦよりも高レートである場合には、それに応じた多い量のＡＶデータをタイムスロットＳＬ１内にこのバッファメモリから読み出して記録再生部６に転送することができるので、やはり、基準ビデオ信号ＲＥＦとは非同期の入力ＡＶ信号のレートにかかわらず記録再生部６で連続してＡＶデータを記録できるようになる。
【００８４】
ただし、システム上の制約から１タイムスロット内に記録再生部６に転送して記録させるＡＶデータ量を変動させることのできないような種類のＡＶサーバについては、前述のように３バンクのバッファメモリをリングバッファとして使用することにより、各タイムスロット内に一定量のＡＶデータを記録再生部６に転送させることが望ましい。
【００８５】
次に、制御器３９による入力ポート２内の回路の制御について説明する。
制御器３９は、タイミング管理部７から与えられる基準ビデオ信号ＲＥＦのフレーム同期信号ＲＥＦＦＲＡＭＥから、１／４フレーム周期の割り込み信号ＨＶＩＮＴを生成する。
【００８６】
そして、制御器３９は、入力ＡＶ信号に同期して動作する入力ポート２内の回路に対して、この割り込み信号ＨＶＩＮＴでの割り込み処理により、入力ＡＶ信号に同期した制御を行う。すなわち、例えば、ＶＩＴＣリーダー３２でのＶＩＴＣコードの読み取りは、ＡＶサーバ１の上位装置からのＶＩＴＣコードの送付要求に対応するために、入力ＡＶ信号の各フレームの前半フィールドで行う必要があるので、ＶＩＴＣリーダー３２に対して、割り込み信号ＨＶＩＮＴにより、この読み取りを行わせる制御を行う。
【００８７】
ところで、基準ビデオ信号ＲＥＦと入力ＡＶ信号とが非同期である場合には、基準ビデオ信号ＲＥＦのフレーム同期信号ＲＥＦＦＲＡＭＥが例えば図５Ａに示す通りであるとすると、同期検出回路３１から制御器３９に与えられる入力ＡＶ信号のフレーム同期信号ＩＮＦＲＡＭＥは、例えば図５Ｂに示すようなものになったり、あるいは図５Ｃに示すようなものになったりする。
なお、図５ＡのＲＥＦＨＶＳＬＯＴは、フレーム同期信号ＲＥＦＦＲＡＭＥに同期して作成された１／４フレームのシーケンス番号であり、図５Ｂ，ＣのＩＮＨＶＳＬＯＴは、フレーム同期信号ＩＮＦＲＡＭＥに同期して作成された１／４フレームのシーケンス番号である。
【００８８】
ここで、制御器３９が割り込み信号ＨＶＩＮＴでＩＮＨＶＳＬＯＴをそのままサンプリングして割り込み処理の処理モードを決定すると、サンプリングされるＩＮＨＶＳＬＯＴの番号が不連続になってしまうので、入力ＡＶ信号に同期した制御を正常に行うことができなくなる。
【００８９】
すなわち、図５Ｂの例では、ＩＮＨＶＳＬＯＴ＝１がサンプリングされた後、ＩＮＨＶＳＬＯＴ＝２がサンプリングされることなくＩＮＨＶＳＬＯＴ＝３がサンプリングされるので、ＩＮＨＶＳＬＯＴ＝２での割り込み処理が１フレーム分飛ばされることになる。
また、図５Ｃの例では、同じＩＮＨＶＳＬＯＴ＝３が２度サンプリングされるので、このＩＮＨＶＳＬＯＴ＝３で同じ割り込み処理が無駄に重複して行われることになる。
【００９０】
そこで、制御器３９では、割り込み信号ＨＶＩＮＴを生成する毎に、入力ＡＶ信号の位相を検出することにより、入力ＡＶ信号に同期した制御を行うようにしている。
図６は、制御器３９によるこの入力ＡＶ信号の位相検出の一例を示す機能ブロック図である。
基準ビデオ信号ＲＥＦのフレーム同期信号ＲＥＦＦＲＡＭＥから割り込み信号ＨＶＩＮＴを生成するＨＶＩＮＴ発生器４１で、この割り込み信号ＨＶＩＮＴに対して９０度位相がずれたクロック信号ＲＥＦＨＶを同時に生成される。そして、このクロック信号ＲＥＦＨＶを、ＨＶＳＬＯＴカウンタ４２でカウントする。
【００９１】
他方、入力ＡＶ信号のフレーム同期信号ＩＮＦＲＡＭＥから、リセットパルス発生器４３でリセット信号ＲＳＴを生成し、このリセット信号ＲＳＴでカウンタ４２をリセットする。
また、リセット信号ＲＳＴでカウンタ４２がリセットされた後最初の割り込み信号ＨＶＩＮＴが生成されるまでカウンタ４２でのクロック信号ＲＥＦＨＶのカウントを禁止するパルスＤＩＳＡＢＬＥを、カウンタＤＩＳＡＢＬＥパルス発生器４４からカウンタ４２に与える。
【００９２】
そして、制御器３９は、このカウンタ４２の出力信号をＨＶＳＬＯＴとして、図７に示すように、割り込み信号ＨＶＩＮＴでこの信号ＨＶＳＬＯＴをサンプリングすることにより、割り込み処理の処理モードを決定する。ただし、ＨＶＳＬＯＴ＝３以降については、制御には使用しないものとする。
これにより、図５ＢやＣに示したように割り込み処理が飛ばされたり重複したりすることがなくなり、入力ＡＶ信号に同期した制御を正常に行うことができるようになる。
なお、厳密に入力ＡＶ信号に同期する必要のない制御については、基準ビデオ信号ＲＥＦに同期して行うようにしてもよい。
入力ポート２内の回路は、ＩＮＦＲＡＭＥを制御器３９からのモード確定用パルスとして使用する。
【００９３】
以上のように、このＡＶサーバ１では、入力ポート２のうちＶＩＴＣリーダー３２からパッキング回路３５までの回路の動作及びバッファメモリ３８Ａ，３８Ｂ，３８ＣへのＡＶデータの書き込みは入力ＡＶ信号に同期して行われ、他方、バッファメモリ３８Ａ，３８Ｂ，３８Ｃから記録再生部６へのＡＶデータの転送は、基準ビデオ信号ＲＥＦに同期して行われる。
換言すれば、入力ポート２内において記録再生部６に転送するＡＶデータを一時的に記憶するためのバッファメモリを、フレームシンクロナイザとして利用している。
これにより、基準ビデオ信号ＲＥＦとは非同期なＡＶ信号を、直接ＡＶサーバ１の入力ポート２に入力させて記録再生部６に記録することができるようになっている。
【００９４】
したがって、例えばＳＮＧやイーサネットを利用して伝送されるＡＶ信号や中継現場のカメラの出力ＡＶ信号等を、ＡＶサーバ１に直接入力させて記録することができるので、こうしたＡＶ信号の収録中に同時に編集作業を行うことができるようになる。
【００９５】
また、こうしたＡＶサーバの入力ポート内において記録再生部に転送するＡＶデータを一時的に記憶するためのバッファメモリの容量は、一般に通常のフレームシンクロナイザ内のメモリーの容量よりも大きい。したがって、通常のフレームシンクロナイザを用いる場合よりも同期のとれる変動の範囲が広くなるので、コマ落ちの発生を減少させることができる。
【００９６】
また、入力ポート２では、制御器３９が、入力ＡＶ信号の位相を検出することにより、入力ＡＶ信号に同期した制御を各回路に対して行うようにしているので、入力ＡＶ信号のレートにかかわらずこの制御を正常に行うことができるようになっている。
【００９７】
なお、本発明は、図１に示した構成のＡＶサーバに限らず、適宜の種類のＡＶサーバに適用してよいことはもちろんである。
例えば、２，３または５以上の入出力ポートを有するＡＶサーバに本発明を適用してもよい。
また例えば、ＭＰＥＧ以外の符号化方式でＡＶデータを圧縮・伸長するＡＶサーバに本発明を適用してもよい。
また例えば、１つのポートが入力ポートとしての機能と出力ポートとしての機能とを併有するＡＶサーバに本発明を適用してもよい。
また例えば、ＲＡＩＤ技術を用いないＨＤＤにＡＶデータを記録するＡＶサーバや、ＨＤ以外のノンリニアアクセス可能な記録媒体（例えば半導体メモリや光ディスク）にＡＶデータを記録するＡＶサーバに本発明を適用してもよい。
また例えば、ＡＶデータを記録・再生する機能に加えてＡＶデータを編集する機能を備えたＡＶサーバに本発明を適用してもよい。
【００９８】
また、以上の例では本発明をＡＶサーバに適用しているが、これに限らず、ノンリニアアクセス可能な記録媒体を用いて信号の記録・再生を行う記録再生手段を有するとともに複数の入力部及び出力部が所定の基準信号に同期してそれぞれに割り当てられたタイムスロット内に記録再生手段との間での信号の転送を行う適宜の種類の記録再生装置に本発明を適用してよい。
また、本発明は、以上の例に限らず、本発明の要旨を逸脱することなく、その他様々の構成をとりうることはもちろんである。
【００９９】
【発明の効果】
以上のように、本発明に係る記録再生装置によれば、入力部のうち記憶手段よりも前段の処理手段での動作及び記憶手段への書き込みは、外部からの入力ビデオ信号に同期して行われ、他方、記憶手段からの読み出し及び記録再生手段への転送は、基準ビデオ信号に同期して行われるので、基準ビデオ信号とは非同期なビデオ信号を、直接この記録再生装置の入力部に入力させて記録することができるという効果が得られる。
したがって、例えばこの記録再生装置をＡＶサーバに適用すれば、ＳＮＧやイーサネット（登録商標）を利用して伝送されるＡＶ信号や中継現場のカメラの出力ＡＶ信号等を、ＡＶサーバに直接入力させて記録することができるので、こうしたＡＶ信号の収録中に同時に編集作業を行うことができるようになる。
また、入力部では、制御手段が、基準ビデオ信号に基づく基準フレーム同期信号から生成した割り込み信号と、この割り込み信号に対して位相がずれた基準クロック信号を同時に生成し、この基準クロック信号をカウントするとともに、入力ビデオ信号から分離された入力フレーム同期信号から生成したリセット信号でこのカウントをリセットして、このリセットの後最初の割り込み信号が生成されるまでこのカウントを禁止し、このカウント信号を割り込み信号でサンプリングする割り込み処理により、記憶手段よりも前段の処理手段に対して入力ビデオ信号に同期した制御を行うので、基準ビデオ信号とは非同期な入力ビデオ信号のレートにかかわらず、記憶手段よりも前段の処理手段に対して入力ビデオ信号に同期した制御を正常に行うことができるという効果が得られる。
【０１００】
なお、請求項２に記載の記録再生装置によれば、記憶手段よりも前段の処理手段が、入力ビデオ信号からＶＩＴＣコードを読み取るＶＩＴＣリーダーを含んでいる場合に、記録再生装置の上位装置からのＶＩＴＣコードの送付要求に対応して、入力ビデオ信号の各フレームの前半フィールドでＶＩＴＣリーダーにＶＩＴＣコードを読み取らせることができるという効果も得られる。
【０１０１】
また、請求項３に記載の記録再生装置によれば、基準信号とは非同期な入力信号のレートにかかわらず、一定量の信号がタイムスロット内に記憶手段から読み出されて記録再生手段に転送されるので、記録再生手段で連続して信号を記録できるという効果も得られる。
【０１０２】
また、請求項４に記載の記録再生装置によれば、入力信号が基準信号よりも低レートである場合には、それに応じた少ない量の信号をタイムスロット内に記憶手段から読み出して記録再生手段に転送させ、他方、入力信号が基準信号よりも高レートである場合には、それに応じた多い量の信号をタイムスロット内に記憶手段から読み出して記録再生手段に転送させることができるので、やはり、基準信号とは非同期な入力信号のレートにかかわらず記録再生手段で連続して信号を記録できるという効果も得られる。
【０１０４】
次に、本発明に係る記録再生装置における信号入力方法によれば、入力部のうち記憶手段よりも前段の処理手段での動作及び記憶手段への書き込みは、外部からの入力信号に同期して行わせ、他方、記憶手段からの読み出し及び記録再生手段への転送は、基準ビデオ信号に同期して行わせるので、基準ビデオ信号とは非同期なビデオ信号を、直接この記録再生装置の入力部に入力させて記録することができるという効果が得られる。
【０１０５】
したがって、例えばこの記録再生装置をＡＶサーバに適用すれば、ＳＮＧやイーサネットを利用して伝送されるＡＶ信号や中継現場のカメラの出力ＡＶ信号等を、ＡＶサーバに直接入力させて記録することができるので、こうしたＡＶ信号の収録中に同時に編集作業を行うことができるようになる。
【０１０６】
また、入力部では、基準ビデオ信号に基づく基準フレーム同期信号から生成した割り込み信号と、この割り込み信号に対して位相がずれた基準クロック信号を同時に生成し、この基準クロック信号をカウントするとともに、入力ビデオ信号から分離された入力フレーム同期信号から生成したリセット信号でこのカウントをリセットして、このリセットの後最初の割り込み信号が生成されるまでこのカウントを禁止し、このカウント信号を割り込み信号でサンプリングする割り込み処理により、記憶手段よりも前段の処理手段に対して入力ビデオ信号に同期した制御を行うので、基準ビデオ信号とは非同期な入力ビデオ信号のレートにかかわらず、記憶手段よりも前段の処理手段に対して入力ビデオ信号に同期した制御を正常に行うことができるという効果が得られる。
【図面の簡単な説明】
【図１】本発明を適用したＡＶサーバの構成例を示すブロック図である。
【図２】図１の入力ポートの構成例を示すブロック図である。
【図３】図１の記録再生部の構成例を示すブロック図である。
【図４】図１の入力ポートから記録再生部へのＡＶデータの転送の様子の一例を示す図である。
【図５】ＩＮＨＶＳＬＯＴのサンプリング例を示す図である。
【図６】図２の制御器による入力ＡＶ信号の位相検出の一例を示す機能ブロック図である。
【図７】図６のカウンタの出力信号ＨＶＳＬＯＴのサンプリング例を示す図である。
【図８】従来のＡＶサーバの入力ポートの構成及びその動作クロックを示す図である。
【符号の説明】
１  ＡＶサーバ、  ２  入力ポート、  ３，４，５  出力ポート、  ３Ａ，４Ａ，５Ａ  復号器、  ３Ｂ，４Ｂ，５Ｂ，３８Ａ，３８Ｂ，３８Ｃ  バッファメモリ、  ３Ｃ，４Ｃ，５Ｃ，９，３９  制御器、  ６  記録再生部、  ７  タイミング管理部、  ８  ファイルシステム、  １０  下りバス、  １１  上りバス、  １２  制御バス、  ２１，２２  ＨＤＤ、  ２３  ディスクアレイコントローラ、  ３１  同期検出回路、  ３２  ＶＩＴＣリーダー、  ３３  前置フィルタ、  ３４  符号器、  ３５  パッキング回路、  ３６  ＦＩＦＯメモリ  、３７Ａ，３７Ｂ，３７Ｃ  メモリコントローラ、  ４１  ＨＶＩＮＴ発生器、  ４２  ＨＶＳＬＯＴカウンタ、  ４３  リセットパルス発生器、  ４４  カウント禁止パルス発生器
【図１】
0004174906.tif 000002
【図２】
0004174906.tif 000003
【図３】
0004174906.tif 000004
【図４】
0004174906.tif 000005
【図５】
0004174906.tif 000006
【図６】
0004174906.tif 000007
【図７】
0004174906.tif 000008
【図８】
0004174906.tif 000009